(57)【要約】【課題】ローラに供給するエアが高温になることを防止できる印刷機を提供する。【解決手段】版胴５に備える版に湿し水を供給する湿し水供給装置７と、版胴５に印刷用のインキを供給するインキ供給装置６と、湿し水供給装置に備える複数のローラのうちの少なくとも１つのローラＲ１１にエアを供給するためのエア供給装置８と、を備え、エア供給装置８は、ローラＲ１１の回転軸方向に沿って複数配置される単独で駆動可能な複数のファン１３と、複数のファン１３を支持するケーシング１４と、を備え、ケーシング１４は、ファン１３により吸気したエアを取り込む吸気口と、吸気口からケーシング内に取り込んだエアをローラＲ１１に吹き付けるための排気口１４Ｈと、を備え、排気口１４Ｈが先細り形状に構成されている。【選択図】  図２
2020100100.tif 000002
【特許請求の範囲】
【請求項１】
版胴に備える版に湿し水を供給する複数のローラを有する湿し水供給装置と、前記版胴に印刷用のインキを供給する複数のインキローラを有するインキ供給装置と、前記湿し水供給装置の複数のローラのうちの少なくとも１つのローラに供給されるインキと湿し水とのバランスを調整すべく、該ローラにエアを供給するためのエア供給装置と、を備えている印刷機であって、
前記エア供給装置は、前記ローラの回転軸方向に沿って複数配置される単独で駆動可能な複数のファンと、該複数のファンを支持するケーシングと、を備え、前記ケーシングは、前記ファンにより吸気したエアを取り込む吸気口と、該吸気口から該ケーシング内に取り込んだエアを前記ローラに吹き付けるための排気口と、を備え、該排気口が先細り形状に構成されていることを特徴とする印刷機。
【請求項２】
前記複数のファンのそれぞれが、ＯＮ−ＯＦＦ可能に構成され、前記ケーシングが、前記複数のファンを着脱可能な取付用孔を複数備え、前記ファンを取り付けていない前記取付用孔を塞ぐためのカバー部材を備えていることを特徴とする請求項１に記載の印刷機。
【請求項３】
前記湿し水供給装置の複数のローラが、上下方向に配置されており、これらローラのうちの上下方向中間部に位置する中間ローラにエアを供給すべく、前記エア供給装置を配置していることを特徴とする請求項１又は２に記載の印刷機。
【発明の詳細な説明】
【技術分野】
【０００１】
本発明は、湿し水供給装置を備える印刷機に関するものである。
【背景技術】
【０００２】
かかる印刷機では、版胴に備える版に湿し水を供給する複数のローラを有する湿し水供給装置と、前記版胴に印刷用のインキを供給する複数のインキローラを有するインキ供給装置と、前記湿し水供給装置の複数のローラのうちの少なくとも１つのローラに供給されるインキと湿し水とのバランスを調整すべく、該ローラにエアを供給するためのエア供給装置と、を備えている。したがって、エア供給装置からのエアを湿し水供給装置とインキ供給装置との間のローラに当てることにより、ローラ上の湿し水の一部を除去することで、版に供給されるインキと湿し水とが適量になるようにしている。
【０００３】
前記エア供給装置は、エアを圧縮するエア圧縮源と、エア圧縮源からの圧縮エアを案内する細長いエア配管と、エア配管で案内される圧縮エアを供給エア噴出口へ供給するエア配管よりも径が小さいエア誘導管と、エア誘導管からの圧縮エアを供給エア噴出口に供給する状態と供給しない状態とに切り替える電磁弁と、を備えている（例えば、特許文献１）。
【先行技術文献】
【特許文献】
【０００４】
【特許文献１】特開平１１−５８６７２号公報
【発明の概要】
【発明が解決しようとする課題】
【０００５】
前記特許文献１では、エア圧縮源からの圧縮エアが、細長いエア配管及びエア配管よりも更に細いエア誘導管を通して供給エア噴出口から排出される構成であるため、供給エア噴出口における圧縮エアの温度がエア圧縮源に入る前の圧縮前エアの温度よりも高くなってしまう。そのため、印刷機内部の温度の上昇を招いてしまうことがある。特に、印刷開始直後から印刷時間が長くなるロングラン印刷時には、供給エア噴出口からの圧縮エアの温度が印刷時間に応じて非常に高くなってしまうため、インキの転移状態が変化してしまい、色合わせが難しくなるという不都合が発生し、改善の余地があった。
【０００６】
本発明はこのような問題を解決するためになされたもので、ローラに供給するエアが高温になることを防止できる印刷機を提供することである。
【課題を解決するための手段】
【０００７】
上記目的を達成するため、本発明に係る印刷機は、版胴に備える版に湿し水を供給する複数のローラを有する湿し水供給装置と、前記版胴に印刷用のインキを供給する複数のインキローラを有するインキ供給装置と、前記湿し水供給装置の複数のローラのうちの少なくとも１つのローラに供給されるインキと湿し水とのバランスを調整すべく、該ローラにエアを供給するためのエア供給装置と、を備えている印刷機であって、前記エア供給装置は、前記ローラの回転軸方向に沿って複数配置される単独で駆動可能な複数のファンと、該複数のファンを支持するケーシングと、を備え、前記ケーシングは、前記ファンにより吸気したエアを取り込む吸気口と、該吸気口から該ケーシング内に取り込んだエアを前記ローラに吹き付けるための排気口と、を備え、該排気口が先細り形状に構成されていることを特徴としている。
【０００８】
上記構成によれば、エア供給装置を、ローラの回転軸方向に沿って複数配置される単独で駆動可能な複数のファンから構成することによって、印刷時間が長くなるロングラン印刷を行っても、複数のファンから供給されるエアの温度が印刷部内部の温度の上昇を招くことがない。よって、色合わせへの影響が少なくなる。しかも、排気口が先細り形状に構成されているので、風圧を増大させたエアをローラに供給された湿し水にピンポイントで当てることにより、湿し水の一部を効率よく吹き飛ばして除去することができる。よって、ローラ上のインキと湿し水とのバランスを的確に調整することができる。
【０００９】
また、本発明に係る印刷機は、前記複数のファンのそれぞれが、ＯＮ−ＯＦＦ可能に構成され、前記ケーシングが、前記複数のファンを着脱可能な取付用孔を複数備え、前記ファンを取り付けていない前記取付用孔を塞ぐためのカバー部材を備えていてもよい。
【００１０】
上記のように、複数のファンのそれぞれを、ＯＮ−ＯＦＦ可能なファンで構成することによって、ローラ上の所望の位置の湿し水を除去できる。また、風量調整を行うために全ての取付用孔にファンを取り付けない場合に、取り付けていない取付用孔をカバー部材で塞ぐことにより、塞がないで開放されている取付用孔からのエア漏れを防ぐことができる。よって、ケーシング内の風圧低下を防止でき、湿し水除去を確実に行うことができる。
【００１１】
また、本発明に係る印刷機は、前記湿し水供給装置の複数のローラが、上下方向に配置されており、これらローラのうちの上下方向中間部に位置する中間ローラにエアを供給すべく、前記エア供給装置を配置していてもよい。
【００１２】
湿し水供給装置から供給される湿し水が、インキの供給を開始する上部に位置するインキローラ側に移動してインキに混入すると、インキの性状が大きく変動することになり、好ましくない。そのため、上記のように、上下方向中間部に位置する中間ローラ、つまりインキローラから十分離れた位置にあるローラに供給される湿し水の量を調整することによって、上部に位置するインキローラへの過剰な湿し水による影響を抑制できる。
【発明の効果】
【００１３】
本発明によれば、エア供給装置を、ローラの回転軸方向に沿って複数配置される単独で駆動可能な複数のファンから構成することによって、ローラに供給するエアが高温になることを防止できる印刷機を提供することができる。
【図面の簡単な説明】
【００１４】
【図１】印刷機の全体側面図である。
【図２】印刷ユニット内部に備えるインキ供給装置及び湿し水供給装置の側面図である。
【図３】印刷ユニット内部に備えるエア供給装置の斜視図である。
【図４】同エア供給装置の側面図である。
【図５】同エア供給装置のケーシングの斜視図である。
【図６】同エア供給装置のケーシングを示し、（ａ）は、側面図、（ｂ）はケーシングの先端部の断面図である。
【図７】同エア供給装置のケーシングに形成の一部の開口を蓋で閉じた状態を示す斜視図である。
【発明を実施するための形態】
【００１５】
以下、本発明の印刷機を、図面を参照しながら説明する。
【００１６】
印刷機は、図１に示すように、上流側に給紙部１を備え、下流側に排紙部２を備え、それら中間に７つの印刷部（印刷ユニットとも呼ばれる）３を配設している。印刷部３は、印刷に使用するインキの色の数だけ設けられるが、同一構成であるため、以下において、１個の印刷部３のみについて説明する。
【００１７】
印刷部３は、図１及び図２に示すように、本体カバー４と、本体カバー４に内装され、版が巻き付けられる版胴５と、版胴５にインキを供給する複数のインキローラＲ１〜Ｒ２０を有するインキ供給装置６と、版胴５の版に湿し水を供給する複数のローラＭ１〜Ｍ５、Ｒ１６、Ｒ５、Ｒ１１、Ｒ４、Ｒ９、Ｒ３を有する湿し水供給装置７と、これらのローラＭ１〜Ｍ５、Ｒ１６、Ｒ５、Ｒ１１、Ｒ４、Ｒ９、Ｒ３のうちの１つのローラＲ１１に供給される湿し水を吹き飛ばして除去するためのエア供給装置８と、を備えている。版胴５は、本体カバー４の両側壁４Ａ，４Ａに支軸（図示せず）を介して回転自在に支持されている。また、ゴム胴（ブランケット胴とも呼ばれる）９が、版胴５に転接可能に配置されている。また、圧胴１０が、ゴム胴９に転接可能に配置されている。
【００１８】
インキ供給装置６は、インキツボ１１、インキ元ローラＲ１、複数のインキツボキー（図示せず）、インキ元ローラＲ１を回転駆動するためのローラ駆動装置（図示せず）及び複数のインキツボキーを移動させるためのインキツボキー移動装置（図示せず）を備えている。
【００１９】
インキツボ１１は、印刷用インキを収容し、インキツボ１１には、インキ元ローラＲ１及びインキツボキー（図示せず）が配置されている。また、インキ供給装置６を構成するローラとしては、インキ元ローラＲ１、インキ呼出ローラＲ２、インキ往復ローラＲ３，Ｒ４，Ｒ５，Ｒ６、ライダローラＲ７、インキ練りローラＲ８，Ｒ９，Ｒ１０，Ｒ１１，Ｒ１２，Ｒ１３、インキ着けローラＲ１４，Ｒ１５，Ｒ１６，Ｒ１７，Ｒ１８，Ｒ１９，Ｒ２０を備えている。したがって、インキツボ１１に収容されているインキが、これらのローラＲ１〜Ｒ２０を介して版胴５の版の表面の画線部（紙にインクが付着する部分）にインキが供給される。なお、これらローラＲ１〜Ｒ２０は、既知のものであるため、詳細説明は省略する。なお、インキ供給装置６のローラの数や位置は、図２に示すものに限定されることがなく、自由に変更できる。
【００２０】
湿し水供給装置７は、湿し水を収容する水舟１２と、水舟１２内に収容した湿し水に浸かっている水元ローラＭ１、クロムローラＭ２、水着けローラＭ３、渡しローラＭ４、保水ローラＭ５を備えている。したがって、水舟１２内の湿し水が、これらローラＭ１〜Ｍ５を介して版胴５の版の表面の非画線部（紙にインクが付着しない部分）に供給される。
【００２１】
また、前記ローラＭ１〜Ｍ５により移動する湿し水が、インキ着けローラＲ１６、インキ往復ローラＲ５、インキ練りローラＲ１１、インキ往復ローラＲ４、インキ練りローラＲ９、インキ往復ローラＲ３まで移動する。このため、これらローラＲ１６、Ｒ５、Ｒ１１、Ｒ４、Ｒ９、Ｒ３が、湿し水供給装置７を構成するローラを兼用構成している。このように湿し水供給装置７を構成するローラＭ１〜Ｍ５、Ｒ１６、Ｒ５、Ｒ１１、Ｒ４、Ｒ９、Ｒ３が、上下方向に配置されている。そして、これらローラＭ１〜Ｍ５、Ｒ１６、Ｒ５、Ｒ１１、Ｒ４、Ｒ９、Ｒ３のうちの上下方向中間部に位置する中間ローラＲ１１にエアを供給すべく、エア供給装置８を配置している。このエア供給装置８からのエアにより、中間ローラＲ１１に供給される湿し水の量を調整することで、版に供給される湿し水の量を間接的に調整している。
【００２２】
ところで、湿し水供給装置７から供給される湿し水が、インキの供給を開始する上部に位置するインキローラ側に移動してインキに混入すると、インキの性状が大きく変動することになり、好ましくない。そのため、上記のように、上下方向中間部に位置する中間ローラＲ１１、つまりインキローラ（例えばＲ３）から十分離れた位置にあるローラＲ１１に供給される湿し水の量を調整することによって、上部に位置するインキローラへの過剰な湿し水による影響を抑制できる。なお、湿し水供給装置７のローラの数や位置は、図２に示すものに限定されることがなく、自由に変更できる。
【００２３】
エア供給装置８は、図３〜図６（ａ），（ｂ）に示すように、中間ローラＲ１１の回転軸方向に沿って複数配置される単独で駆動可能な複数のファン１３と、複数のファン１３を支持するケーシング１４と、を備えている。
【００２４】
ケーシング１４は、金属製で側面視において略三角形状で中間ローラＲ１１の左右幅と略同一寸法に構成されている。具体的には、ケーシング１４は、左右方向に長い長方形状の後板部１４Ａと、左右方向に長い長方形状の板からなり、後板部１４Ａの上下端から前方に延びるとともに前方側ほど間隔が小さくなるように前下がり傾斜姿勢で配置された上下の板部１４Ｂ，１４Ｃと、左右方向両端の開口を閉じる左右の板部１４Ｄ，１４Ｅと、を備えている。ケーシング１４を側面視において略三角形状に構成することによって、上下の板部１４Ｂ，１４Ｃの間隔が後述する排気口１４Ｈ（前方）側に向かうほど徐々に狭くなるようにしている（図６（ａ），（ｂ）参照）。これにより、ファン１３から吸気したエアを排気口１４Ｈ側にスムーズに案内することができる。また、後述する複数の吸気口１４Ｋから吸い込んだエアを閉塞されたケーシング１４内をスムーズに移動させて排気口１４Ｈから排出することができる。
【００２５】
後板部１４Ａには、長手方向（左右方向）に等間隔（不等間隔でもよい）を置いて形成された複数（図５では１０個）の吸気口１４Ｋが形成されている。各吸気口１４Ｋは、ファン１３を着脱可能に取り付けるための取付用孔を兼用している。そして、ファン１３を吸気口１４Ｋに押し当てた状態で、ファン１３の四隅に形成されている孔を通してねじＮ，Ｎ（図３参照）を後板部１４Ａに形成のねじ孔（図示せず）にねじ込むことにより、ファン１３を後板部１４Ａに固定している。
【００２６】
また、複数のファン１３により吸気したエアが吸気口１４Ｋを通してケーシング１４内に取り込み、取り込まれたエアを前記中間ローラＲ１１に吹き付けるための排気口１４Ｈが、前記上下の板部１４Ｂ，１４Ｃの前端部に左右方向全域に亘って形成されている。この排気口１４Ｈは、前端側ほど先細り形状に構成されており、左右方向に連続する開口になっている。
【００２７】
前述のように、エア供給装置８を、エアを吹き付ける中間ローラＲ１１の回転軸方向に沿って複数配置される単独で駆動可能な複数のファン１３から構成することによって、印刷時間が長くなるロングラン印刷を行っても、複数のファン１３から供給されるエアの温度が印刷部内部の温度の上昇を招くことがない。よって、色合わせへの影響が少なくなる。しかも、排気口１４Ｈが先細り形状に構成されているので、風圧を増大させたエアをローラ（ここでは、中間ローラＲ１１）に供給された湿し水にピンポイントで当てることにより、湿し水の一部を効率よく吹き飛ばして除去することができる。よって、ローラに供給される湿し水の量を調整することができる。ここでは、湿し水の一部を吹き飛ばすことによって、ローラに供給される湿し水の量を調整しているが、吹き飛ばさずに乾燥させることによって、インキと湿し水とのバランスを調整してもよい。
【００２８】
また、複数のファン１３のそれぞれが、ＯＮ−ＯＦＦ可能に構成されている。例えば図示していないスイッチがＯＮ操作されると、図示していないケーブルに接続された電源からの電力供給がなされることにより全てのファン１３がＯＮして回転が開始する。また、前記スイッチがＯＦＦ操作されると、全てのファン１３がＯＦＦして回転が停止する。前記のように全てのファン１３をＯＮする他、版の表面の非画線部（紙にインクが付着しない部分）の面積や本体カバー４内の温度あるいは印刷物の状態等に応じて、オペレータが一部のファン１３のみをＯＮするようにしてもよい。
【００２９】
また、中間ローラＲ１１にエアを吹き付ける場合に、中間ローラＲ１１上の湿し水の量を検出する湿し水量検出手段（図示せず）を設け、この湿し水量検出手段からの検出量が予め設定している設定量を越えないように複数のファン１３の駆動を制御装置により制御するように構成してもよい。この場合、制御装置により、複数のファン１３のうちの一部のファン１３のみを駆動させる制御を行ってもよいし、また、制御装置により、全部のファン１３の回転数を調整する制御を行ってもよいし、また、制御装置により、複数のファン１３のうちの一部のファン１３のみを駆動させる制御及び駆動させたファン１３の回転数を調整する制御の両方の制御を行うようにしてもよい。
【００３０】
各ファン１３は、エア排出口（図示せず）が形成された略正方形状の前板部１５Ａと、エア吸引口１５Ｋが形成された略正方形状の後板部１５Ｂと、前板部１５Ａの外周縁の４辺と後板部１５Ｂの外周縁の４辺とを連結する角筒状の筒状板部１５Ｃとからなる枠部材１５と、枠部材１５内に駆動回転自在なファン（図示せず）と、を備えている。
【００３１】
ケーシング１４の上側板部１４Ｂの左右両端部それぞれの上面に、板状の取付部材１６の一端部（下端部）が連結され、取付部材１６，１６の他端部（上端部）のそれぞれがＬ字形状のブラケット１７を介して角筒状のステー１８に固定されている。なお、ステー１８の両端は、本体カバー４の左右の両側壁４Ａ，４Ａに固定されている。
【００３２】
前記ケーシング１４に形成されている１０個の円形の吸気口１４Ｋが、ファン１３を取り付けるための取付用孔を兼用している。これら１０個全ての取付用孔１４Ｋにファン１３を取り付ける場合もあるが、ファン１３の能力や本体カバー４内の温度等の状況に応じて風量調整を行うために全ての取付用孔１４Ｋにファン１３を取り付ける必要がない場合がある。つまり、１０個よりも少ない個数のファン１３だけで、必要となる風量を確保できる場合には、図７に示すように、ファン１３を取り付けていない取付用孔１４Ｋをカバー部材１９で塞ぐようにしている。ここでは、１つおきにファン１３を取り付けた場合を示しているが、これに限らない。カバー部材１９は、円形の取付用孔１４Ｋを覆うことができる正方形状の板状部材からなり、対角線上に形成された一対の孔にボルト２０，２０をねじ込むことでケーシング１４の後板部１４Ａに固定できる。また、ボルト２０，２０を緩めることでカバー部材１９をケーシング１４の後板部１４Ａから取り外すことができる。このように、風量調整を行うために全ての取付用孔にファン１３を取り付けない場合に、取り付けていない取付用孔１４Ｋをカバー部材１９で塞ぐことにより、塞がないで開放されている取付用孔１４Ｋからのエア漏れを防ぐことができる。よって、ケーシング１４内の風圧低下を防止でき、湿し水除去を確実に行うことができる。
【００３３】
尚、本発明は、前記実施形態に限定されるものではなく、本発明の要旨を逸脱しない範囲で種々の変更が可能である。
【００３４】
前記実施形態では、一つのローラ（中間ローラＲ１１）にのみエアを吹き付けるようにしたが、複数（２つ以上）のローラにエアを吹き付けるようにしてもよい。また、エアを吹き付けるローラとしては、中間ローラＲ１１に限らず、他のローラ（インキローラを含む）であってもよい。
【００３５】
また、前記実施形態では、ケーシング１４を側面視において略三角形状に構成したが、どのような形状に構成してもよい。この場合、排気口側の先端部に先細りとなる先細り部を備えて実施することになる。
【００３６】
また、前記実施形態では、ケーシング１４に形成した排気口１４Ｈを左右方向全域に亘って連続する１つの開口から構成したが、左右方向に所定間隔をおいて形成される複数の開口から排気口１４Ｈを構成してもよい。また、ケーシング１４内の空間を左右方向で例えばファン１３の個数に応じて複数の空間に仕切るための仕切り部材をケーシング１４内に設けて、各ファン１３のエアをケーシング１４の排気口１４Ｈを通して個別に排出できるように構成してもよい。
【符号の説明】
【００３７】
１…給紙部、２…排紙部、３…印刷部、４…本体カバー、４Ａ…両側壁、５…版胴、６…インキ供給装置、７…湿し水供給装置、８…エア供給装置、９…ゴム胴、１０…圧胴、１１…インキツボ、１２…水舟、１３…ファン、１４…ケーシング、１４Ａ…後板部、１４Ｂ…上側板部、１４Ｂ，１４Ｃ…上下の板部、１４Ｄ，１４Ｅ…左右の板部、１４Ｈ…排気口、１４Ｋ…吸気口（取付用孔）、１５…枠部材、１５Ａ…前板部、１５Ｂ…後板部、１５Ｃ…筒状板部、１５Ｋ…エア吸引口、１６…取付部材、１７…ブラケット、１８…ステー、１９…カバー部材、２０…ボルト、Ｍ１…水元ローラ、Ｍ２…クロムローラ、Ｍ３…水着けローラ、Ｍ４…渡しローラ、Ｍ５…保水ローラ、Ｒ１…インキ元ローラ、Ｒ２…インキ呼出ローラ、Ｒ３，Ｒ４，Ｒ５，Ｒ６…インキ往復ローラ、Ｒ７…ライダローラ、Ｒ８，Ｒ９，Ｒ１０，Ｒ１２，Ｒ１３…インキ練りローラ、Ｒ１４，Ｒ１５，Ｒ１６，Ｒ１７，Ｒ１８，Ｒ１９，Ｒ２０…インキ着けローラ、Ｒ１１…インキ練りローラ（中間ローラ）
【図１】
2020100100.tif 000003
【図２】
2020100100.tif 000004
【図３】
2020100100.tif 000005
【図４】
2020100100.tif 000006
【図５】
2020100100.tif 000007
【図６】
2020100100.tif 000008
【図７】
2020100100.tif 000009